(57)【要約】【課題】ガイド部のスパンを充分な長さで確保でき、鏡枠をより滑らかに移動させることができ、ズーミング時の像ブレを抑制できるレンズ案内機構を得る。【解決手段】複数のレンズ群をそれぞれ保持する複数の鏡枠と、鏡枠に一体的に形成された摺動部に係合し鏡枠を光軸方向に摺動案内するためのガイド軸と、を有するレンズ案内機構において、摺動部は、ガイド軸の軸に直交する断面で見たとき、ガイド軸に当接する部位の形状がＶ溝状もしくは円弧状に形成され、摺動部をガイド軸に当接する方向に付勢したレンズ案内機構とする。【選択図】図５
2008096566.tif 000002
【特許請求の範囲】
【請求項１】
複数のレンズ群をそれぞれ保持する複数の鏡枠と、前記鏡枠に一体的に形成された摺動部に係合し前記鏡枠を光軸方向に摺動案内するためのガイド軸と、を有するレンズ案内機構において、
前記摺動部は、前記ガイド軸の軸に直交する断面で見たとき、前記ガイド軸に当接する部位の形状がＶ溝状もしくは円弧状に形成され、
前記摺動部を前記ガイド軸に当接する方向に付勢したことを特徴とするレンズ案内機構。
【請求項２】
複数のレンズ群をそれぞれ保持する複数の鏡枠と、前記鏡枠に一体的に形成された摺動部に係合し前記鏡枠を光軸方向に摺動案内するためのガイド軸と、を有するレンズ案内機構において、
前記摺動部の前記ガイド軸に当接する部位の形状はＶ溝状もしくは円弧状であり、
少なくとも前記鏡枠が近接したとき、双方の摺動部が前記ガイド軸の軸に直交する断面で重複するよう形成されていることを特徴とするレンズ案内機構。
【請求項３】
複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、
前記摺動部が、前記ガイド軸の貫通する嵌合穴部と、Ｖ溝状部もしくは円弧状部とで形成されていることを特徴とするレンズ案内機構。
【請求項４】
前記Ｖ溝状部又は円弧状部は、少なくとも前記鏡枠が近接したとき、双方のＶ溝状部もしくは円弧状部が前記ガイド軸の軸に直交する断面で重複するよう形成されていることを特徴とする請求項３に記載のレンズ案内機構。
【請求項５】
複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、
一方の鏡枠の摺動部は、所定距離だけ離間した両端に前記ガイド軸が貫通する嵌合穴部が形成され、他方の鏡枠の回転係止のための摺動部が前記嵌合穴部の間に配置されていることを特徴とするレンズ案内機構。
【請求項６】
複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、
前記複数の鏡枠の前記摺動部が前記ガイド軸が貫通するスリーブ部と前記スリーブ部からガイド軸方向に延伸された少なくとも３つの突起部で形成されていることを特徴とするレンズ案内機構。
【請求項７】
前記突起部は、一方の鏡枠の前記突起部の形成されていない領域に他方の鏡枠の前記突起部が入り込むよう形成されていることを特徴とする請求項６に記載のレンズ案内機構。
【請求項８】
前記突起部のうち少なくとも１つは、自由状態では前記ガイド軸を押さえる状態に形成されていることを特徴とする請求項６又は７に記載のレンズ案内機構。
【請求項９】
請求項１〜８のいずれか１項に記載のレンズ案内機構を備えたことを特徴とするレンズ鏡胴。
【請求項１０】
請求項９に記載のレンズ鏡胴を備えたことを特徴とする撮像装置。
【発明の詳細な説明】
【技術分野】
【０００１】
本発明は、レンズ鏡胴内でレンズ群を光軸方向に案内するレンズ案内機構に関し、特に複数のレンズ群を移動させて変倍をおこなう場合に好適なレンズ案内機構に関するものである。
【背景技術】
【０００２】
従来より、変倍或いは焦点調節のために、２つのガイド軸を用い、一方のガイド軸に鏡枠には形成されたスリーブ部を嵌合貫通して係合させると共に、他方のガイド軸には鏡枠に形成された回転係止部を係合させて、レンズ群を光軸方向へ摺動案内するレンズ案内機構が知られている。
【０００３】
このような、レンズ案内機構において、同じガイド軸に貫通させる嵌合穴部を所定距離だけ離間して２個づつ配設し、一方の鏡枠の嵌合穴部の離間部に他方の鏡枠の嵌合穴部の１つが挟まれるように配置することでガイド部のスパンを大きくし、それぞれの鏡枠を滑らかに移動させようとするものがある（例えば、特許文献１参照）。
【特許文献１】特開平８−５８８８号公報
【発明の開示】
【発明が解決しようとする課題】
【０００４】
しかしながら、上記特許文献１の案内機構は、一方の鏡枠の嵌合穴部の離間部に他方の鏡枠の貫通部の１つを挟むように配置するため、ガイド部のスパンが２つのレンズ群の移動量の相違により制約を受ける問題がある。
【０００５】
また、移動のために、ガイド軸の軸径に対し嵌合穴部の穴径にはクリアランスを有するため、ガイド部のスパンが短いと、このクリアランス分だけ鏡枠が光軸直交方向にシフト又はティルトし、ズーミング時の像ブレを引き起こす問題がある。
【０００６】
本発明は、上記問題に鑑み、ガイド部のスパンを充分な長さで確保でき、鏡枠をより滑らかに移動させることができ、ズーミング時の像ブレを抑制できるレンズ案内機構を得ることを目的とするものである。
【課題を解決するための手段】
【０００７】
上記の目的は、下記に記載する発明により達成される。
【０００８】
１．複数のレンズ群をそれぞれ保持する複数の鏡枠と、前記鏡枠に一体的に形成された摺動部に係合し前記鏡枠を光軸方向に摺動案内するためのガイド軸と、を有するレンズ案内機構において、前記摺動部は、前記ガイド軸の軸に直交する断面で見たとき、前記ガイド軸に当接する部位の形状がＶ溝状もしくは円弧状に形成され、前記摺動部を前記ガイド軸に当接する方向に付勢したことを特徴とするレンズ案内機構。
【０００９】
２．複数のレンズ群をそれぞれ保持する複数の鏡枠と、前記鏡枠に一体的に形成された摺動部に係合し前記鏡枠を光軸方向に摺動案内するためのガイド軸と、を有するレンズ案内機構において、前記摺動部の前記ガイド軸に当接する部位の形状はＶ溝状もしくは円弧状であり、少なくとも前記鏡枠が近接したとき、双方の摺動部が前記ガイド軸の軸に直交する断面で重複するよう形成されていることを特徴とするレンズ案内機構。
【００１０】
３．複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、前記摺動部が、前記ガイド軸の貫通する嵌合穴部と、Ｖ溝状部もしくは円弧状部とで形成されていることを特徴とするレンズ案内機構。
【００１１】
４．前記Ｖ溝状部又は円弧状部は、少なくとも前記鏡枠が近接したとき、双方のＶ溝状部もしくは円弧状部が前記ガイド軸の軸に直交する断面で重複するよう形成されていることを特徴とする３に記載のレンズ案内機構。
【００１２】
５．複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、一方の鏡枠の摺動部は、所定距離だけ離間した両端に前記ガイド軸が貫通する嵌合穴部が形成され、他方の鏡枠の回転係止のための摺動部が前記嵌合穴部の間に配置されていることを特徴とするレンズ案内機構。
【００１３】
６．複数のレンズ群をそれぞれ保持する複数の鏡枠と、前記鏡枠に一体的に形成された摺動部と係合し前記鏡枠を光軸方向に摺動案内するためのガイド軸と、を有するレンズ案内機構において、前記複数の鏡枠の前記摺動部が前記ガイド軸が貫通するスリーブ部と前記スリーブ部からガイド軸方向に延伸された少なくとも３つの突起部で形成されていることを特徴とするレンズ案内機構。
【００１４】
７．前記突起部は、一方の鏡枠の前記突起部の形成されていない領域に他方の鏡枠の前記突起部が入り込むよう形成されていることを特徴とする６に記載のレンズ案内機構。
【００１５】
８．前記突起部のうち少なくとも１つは、自由状態では前記ガイド軸を押さえる状態に形成されていることを特徴とする６又は７に記載のレンズ案内機構。
【００１６】
９．１〜８のいずれかに記載のレンズ案内機構を備えたことを特徴とするレンズ鏡胴。
【００１７】
１０．９に記載のレンズ鏡胴を備えたことを特徴とする撮像装置。
【発明の効果】
【００１８】
本発明によれば、鏡枠をより滑らかに移動させることができ、ズーミング時の像ブレを抑制できるレンズ案内機構を得ることが可能となる。
【発明を実施するための最良の形態】
【００１９】
以下、実施の形態により本発明を詳しく説明するが、本発明はこれに限定されるものではない。
【００２０】
図１は、本実施の形態に係るレンズ鏡胴を備えた撮像装置の一例であるカメラ１００の、主要構成ユニットの内部配置の例を示す図である。同図は、カメラ１００を被写体側から見た斜視図である。
【００２１】
同図に示すように、カメラ１００は、変倍可能な折り曲げ撮像光学系を内包したレンズ鏡胴５０が図示の如く前面に沿って配置され、開口部５１が被写体光束を取り込むよう配置されている。また図示していないが、開口部５１を開閉するレンズバリアが配置されている。
【００２２】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、カメラ１００の各部へ電源を供給する。画像記録用メモリ５４及び電池５５は、図示しない蓋部から挿脱が可能となっている。
【００２３】
カメラ１００の上面には、レリーズ釦５６が配置され、その１段の押し込みにより撮影準備動作、即ち焦点合わせ動作や測光動作が行われ、その２段の押し込みにより撮影露光動作が行われる。５７はメインスイッチであり、カメラ１００を動作状態と非動作状態に切り替えるスイッチである。メインスイッチ５７により動作状態に切り替えられると、レンズバリアを備えている場合には、これを開状態にすると共に、各部の動作が開始される。また、メインスイッチ５７により非動作状態に切り替えられると、レンズバリアを閉状態にすると共に、各部の動作を終了させる。
【００２４】
カメラ１００の背面には、ＬＣＤ或いは有機ＥＬ等の表示素子で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００２５】
また、図示していないが、これら主要構成ユニットの間には、各部を接続すると共に、各種電子部品が搭載された回路基板が配置され、各主要構成ユニットの駆動及び制御を行うようになっている。更に不図示の、外部入出力端子、ストラップ取り付け部、三脚座等を備えている。
【００２６】
図２は、本実施の形態に係るレンズ鏡胴５０に内包された変倍可能な折り曲げ撮像光学系を示す断面図である。同図は、ワイド時の状態を示しており、折り曲げ前及び折り曲げ後の２つの光軸を含む面で切断したものである。
【００２７】
同図に示すように、ＯＡは折り曲げ前の光軸であり、ＯＢは折り曲げ後の光軸である。レンズ鏡胴５０の外側は、鏡胴部材である主胴１０Ａ及び主胴１０Ｂで構成されている。
【００２８】
１は第１レンズ群であり、第１レンズ群１は、光軸をＯＡとし被写体に向けて配置されたレンズ１１と光軸ＯＡを略直角方向に折り曲げる反射部材であるプリズム１２と、プリズム１２により折り曲げられた光軸ＯＢを光軸として配置されたレンズ１３により構成されている。この第１レンズ群１は、主胴１０Ａに固定されたレンズ群である。
【００２９】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。
【００３０】
３は第３レンズ群であり、主胴１０Ｂに組み込まれ、移動しないレンズ群である。
【００３１】
４は第４レンズ群であり、第４レンズ群鏡枠４ｋに組み込まれている。第４レンズ群は、変倍時及び焦点調節（以下、フォーカシングとも言う）時に第４レンズ群鏡枠４ｋと共に、一体的に移動するレンズ群である。
【００３２】
５は赤外光カットフィルタ及びオプチカルローパスフィルタを積層した光学フィルタであり、主胴１０Ｂに組み付けられている。６は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子６は取り付け部材８に組み付けられ、取り付け部材８は撮像素子６と共に主胴１０Ｂに組み付けられている。７はフレキシブルプリント基板であり、撮像素子６に接続され、カメラ内の他の回路へ接続される。９はシャッタユニットであり、位置決め部材３ｋと同様に、主胴１０Ｂに固定されている。
【００３３】
図３は、図２に示す折り曲げ撮像光学系のズーミング時の各レンズ群の移動線図である。
【００３４】
同図に示すように、第１、第３レンズ群は固定レンズ群であり、第２、第４レンズ群はワイド（Ｗ）〜テレ（Ｔ）の間を図示の如く移動してズーミングが行われる。なお、第４レンズ群はズーミングで移動した位置から更に移動してフォーカシングも行うようになっている。
【００３５】
図４は、第２レンズ群２及び第４レンズ群４の案内機構及び内部の概略構造を示す模式図である。同図は、第２レンズ群２及び第４レンズ群４がワイド位置にある状態を示している。なお、同図は説明をわかりやすくするため、モータ等の位置を鏡胴外に移動させて模式図面化したものである。
【００３６】
同図に示すように、第２レンズ群鏡枠２ｋには一体的に形成された摺動部２ｓ、第４レンズ群鏡枠４ｋには一体的に形成された摺動部４ｓが形成されている。摺動部２ｓ及び４ｓの、ガイド軸１５に直交する方向の断面は後述するが、図示の如く、摺動部２ｓはガイド軸１５に対し紙面表面側に配置され、摺動部４ｓはガイド軸１５に対し紙面裏面側に配置されている。
【００３７】
摺動部２ｓの外側には磁石３１、３２が取り付けられており、摺動部２ｓを間に介してガイド軸１５に吸着することにより、ガイド軸１５方向に押圧付勢され、且つガイド軸１５から外れないようになっている。
【００３８】
なお不図示であるが、摺動部４ｓの外側にも磁石が取り付けられており、摺動部４ｓを間に介してガイド軸１５に吸着することにより、ガイド軸１５方向に押圧付勢され、且つガイド軸１５から外れないようになっている。この場合、ガイド軸１５、１６は磁性を有する材料で形成されている。
【００３９】
更に、第２レンズ群鏡枠２ｋに一体的に形成された回転係止を行う摺動部２ｍ、第４レンズ群鏡枠４ｋに一体的に形成された回転係止を行う摺動部４ｍに、ガイド軸１６が係合して設けられている。これにより、第２レンズ群鏡枠２ｋ、第４レンズ群鏡枠４ｋは、ガイド軸１５、１６に沿って光軸ＯＢ方向に摺動可能とされている。
【００４０】
第２レンズ群鏡枠２ｋは摺動部２ｓに形成された二股の突起部２ｔを有しており、この突起部２ｔは、ステッピングモータである第１モータ２０の回転軸に形成されたリードスクリュー２０ｒの回転により移動する駆動部材２０ｋと係合している。これにより、第１モータ２０の回転で、駆動部材２０ｋと係合している第２レンズ群鏡枠２ｋが、ガイド軸１５及び１６に沿って摺動し光軸ＯＢ方向に移動するようになっている。
【００４１】
同様に、第４レンズ群鏡枠４ｋは摺動部４ｓに形成された二股の突起部４ｔを有しており、この突起部４ｔはステッピングモータである第２モータ２１の回転軸に形成されたリードスクリュー２１ｒの回転により移動する駆動部材２１ｋと係合している。これにより、第２モータ２１の回転で、駆動部材２１ｋと係合している第４レンズ群鏡枠４ｋが、ガイド軸１５及び１６に沿って摺動し、光軸ＯＢ方向に移動するようになっている。
【００４２】
これにより、第２レンズ群２及び第４レンズ群４は、図示のワイド状態の位置から、第３レンズ群３に近接する方向へ、各々設定された量だけ移動しズーミングが行われる。更に、第４レンズ群４は、ズーミングにより移動した位置から更に移動することによりフォーカシングが行われるようになっている。
【００４３】
なお、図示していないが、第２レンズ群２の存在を検出する位置センサ、第４レンズ群４の存在を検出する位置センサが配置されている。位置センサとしては、例えばフォトインタラプタが用いられる。この位置センサは、第２レンズ群鏡枠２ｋ及び第４レンズ群鏡枠４ｋにそれぞれ形成された遮蔽部が、それぞれの位置センサの投受光系間にあって遮蔽しているか、位置センサの投受光系を遮蔽しない位置にあるかを判断するものであり、遮蔽状態から遮蔽しない状態への切り替わり位置を基準にして、第１モータ２０及び第２モータ２１の回転方向及び回転量を制御し、レンズ群の位置制御が行われるようになっている。
【００４４】
図５は、図４に示した第２レンズ群鏡枠２ｋ及び第４レンズ群鏡枠４ｋの案内機構をより詳しくした模式図である。同図は、第２、第４レンズ群鏡枠とガイド軸のみを抜き出した図であり、第３レンズ群等は省略してある。
【００４５】
同図（ａ）は第２レンズ群鏡枠２ｋを第１レンズ群１側から見た図、同図（ｂ）は第４レンズ群鏡枠４ｋを第３レンズ群３側から見た図、同図（ｃ）は第２レンズ群鏡枠２ｋと第４レンズ群鏡枠４ｋが近接した場合を、ガイド軸１５側から見た側面図、同図（ｄ）は同図（ｃ）に示すＰ−Ｐ線で切断したガイド軸１５周辺の断面図である。
【００４６】
同図（ａ）に示すように、第２レンズ群鏡枠２ｋの摺動部２ｓは、ガイド軸に当接する部位の形状がＶ溝状に形成され、該Ｖ字状部で円柱状のガイド軸１５に当接している。摺動部２ｓの裏面側には磁石３１、３２が配設され、摺動部２ｓはガイド軸１５と磁石３１、３２の吸引力により挟持されつつガイド軸１５に沿って摺動するようになっている。なお、ガイド軸１５に当接する部位の形状は円弧状でもよい。
【００４７】
また、第２レンズ群鏡枠２ｋの回転係止部である他方の摺動部２ｍは、ガイド軸１６に接する面が形成され、裏面には磁石３３が配設され、摺動部２ｍはガイド軸１６と磁石３３の吸引力により挟持されつつガイド軸１６に沿って摺動する。なお、回転係止部である他方の摺動部２ｍは、磁石３３とガイド軸１６で挟持する構成でなく、一般的なＵ字状の形状で、ガイド軸１６を嵌合させたものでもよい。
【００４８】
一方、同図（ｂ）に示す、第４レンズ群鏡枠４ｋの摺動部４ｓは、ガイド軸１５に対し第２レンズ群鏡枠２ｋの摺動部２ｓとは反対側の位置に、ガイド軸に当接する部位の形状がＶ溝状に形成され、該Ｖ溝状部が円柱状のガイド軸１５に当接している。摺動部４ｓの裏面側には磁石３４、３５が配設され、摺動部４ｓはガイド軸１５と磁石３４、３５の吸引力により挟持されつつガイド軸１５に沿って摺動するようになっている。なお、ガイド軸１５に当接する部位の形状は円弧状でもよい。
【００４９】
第４レンズ群鏡枠４ｋの回転係止部である他方の摺動部４ｍは、第２レンズ群鏡枠２ｍと同様の構成である。
【００５０】
同図（ｃ）、（ｄ）に示すように、第２レンズ群鏡枠２ｋと第４レンズ群鏡枠４ｋが近接した場合には、それぞれの摺動部２ｓ、４ｓはガイド軸１５に対しそれぞれ反対側の位置に形成されているため、ガイド軸１５の軸方向に直交する断面で、相互に干渉することがない。このため、図示の如く、ガイド軸１５の軸に直交する断面で見たとき重複して位置できる。これにより、ガイド軸１５の軸方向に摺動部２ｓ、４ｓの長さを充分に確保することができる。
【００５１】
図６は、断面がＶ溝状に形成された摺動部をガイド軸１５に当接する方向に付勢するその他の例を示す図である。本例は、第２レンズ群鏡枠２ｋを用いて説明する。
【００５２】
同図に示す第２レンズ群鏡枠２ｋは、回転係止部である摺動部２ｍがＵ字状に形成されガイド軸１６に係合している。一方、ガイド軸１５に係合する摺動部２ｓは断面がＶ溝状に形成されている。二股の突起部２ｔに係合し、リードスクリュー２０ｒと螺合した駆動部材２０ｋにはバネ３７が組み付けられている。このバネ３７は一方の端部が駆動部材２０ｋに掛けられ、他方の端部が摺動部２ｓに掛けられて、摺動部２ｓをガイド軸１５に当接する方向に付勢している。この場合、ガイド軸１５、１６は磁性を有しないものでよい。このような構成でも摺動部２ｓをガイド軸１５に当接する方向に付勢することができる。また、付勢のための構成は、これに限らず、板バネ等で押圧付勢するよう構成してもよい。なお、第４レンズ群鏡枠４ｋも同様の構成が可能である。
【００５３】
即ち、摺動部２ｓ、４ｓのガイド軸１５の軸に直交する方向の断面をＶ溝状又は円弧状に形成し、ガイド軸１５に当接する方向に付勢した案内機構とすることにより、摺動部２ｓ、４ｓのスパンを充分な長さに確保できる。これにより第２、第４レンズ群鏡枠２ｋ、４ｋをより滑らかに移動させることができ、ズーミング時の像ブレを抑制できるレンズ案内機構を得ることが可能となる。
【００５４】
なお、図５、図６では、摺動部２ｓ、４ｓを共にガイド軸１５に摺動させる例で説明したが、これに限らず、例えば、第２レンズ群鏡枠２ｋの摺動部２ｓと第４レンズ群鏡枠４ｋの回転係止のための摺動部４ｍをガイド軸１５上で摺動させ、第４レンズ群鏡枠４ｋの摺動部４ｓと第２レンズ群鏡枠２ｋの回転係止のための摺動部２ｍをガイド軸１６上で摺動させるように構成してもよい。
【００５５】
図７は、第２レンズ群鏡枠２ｋ及び第４レンズ群鏡枠４ｋの案内機構のその他の例を示す図である。同図（ａ）は、第２レンズ群鏡枠２ｋを示す側面図、同図（ｂ）は同図（ａ）に示すＦ−Ｆ線で切断した断面図、同図（ｃ）は同図（ａ）に示すＧ−Ｇ線で切断した断面図、同図（ｄ）は第２レンズ群鏡枠２ｋと第４レンズ群鏡枠４ｋが近接した場合を、ガイド軸１５側から見た側面図である。なお、図７以降の例については、レンズ鏡胴全体の図は省略し案内機構のみを説明する。
【００５６】
同図（ａ）に示す第２レンズ群鏡枠２ｋのガイド軸１５に対する摺動部２ｓは、一方の端部が、同図（ｃ）に示すようなガイド軸１５が貫通する嵌合穴部２ｃで形成され、他方の端部が同図（ｂ）に示すようなＶ溝状部２ｄで形成されている。このＶ溝状部２ｄは、円柱状のガイド軸１５に当接している。また、Ｖ溝状部２ｄの裏面には、磁石３１が配設されており、摺動部２ｓは嵌合穴部２ｃと、磁石３１によるガイド軸１５との吸引力により支持されて、ガイド軸１５に沿って摺動するようになっている。
【００５７】
また、第２レンズ群鏡枠２ｋの回転係止部である他方の摺動部２ｍは、ガイド軸１６に接する面が形成され、裏面には磁石３３が配設され、摺動部２ｍはガイド軸１６と磁石３３の吸引力により挟持されつつガイド軸１６に沿って摺動する。なお、回転係止部である他方の摺動部２ｍは、磁石３３とガイド軸１６で挟持する構成でなく、一般的なＵ字状の形状で、ガイド軸１６を嵌合させたものでもよい。
【００５８】
また、第４レンズ群鏡枠４ｋのガイド軸１５に対する摺動部４ｓについては、第２レンズ群鏡枠２ｋに近い側の端部にＶ溝状部が形成され、第２レンズ群鏡枠２ｋから遠い側の端部に嵌合穴部４ｃが形成されている。また、第４レンズ群鏡枠４ｋのＶ溝状部は、ガイド軸１５に対し第２レンズ群鏡枠２ｋのＶ溝状部２ｄとは反対側の位置に形成されている。
【００５９】
同図（ｄ）に示すように、第２レンズ群鏡枠２ｋと第４レンズ群鏡枠４ｋが近接した場合には、それぞれの摺動部２ｓ、４ｓのＶ溝状部がガイド軸１５に対し反対の位置にあり、それぞれが干渉しないように形成されているため、図示の如く、ガイド軸１５上で摺動部２ｓ、４ｓが重複する位置とすることができる。これにより、ガイド軸１５方向に摺動部２ｓ、４ｓの長さを充分に確保することができる。
【００６０】
即ち、第２、第４レンズ群鏡枠２ｋ、４ｋの摺動部をそれぞれガイド軸１５が貫通する嵌合穴部２ｃ、４ｃとＶ溝状部で形成することにより、摺動部２ｓ、４ｓのスパンを充分な長さに確保できる。これにより第２、第４レンズ群鏡枠２ｋ、４ｋをより滑らかに移動させることができ、ズーミング時の像ブレを抑制できるレンズ案内機構を得ることが可能となる。なお、一方の端部をＶ溝状に形成した例で説明したが、これに限るものでなく、ガイド軸外周に沿った円弧状に形成されたものであってもよい。
【００６１】
また、図７では、摺動部２ｓ、４ｓを共にガイド軸１５に摺動させる例で説明したが、これに限らず、例えば、第２レンズ群鏡枠２ｋの摺動部２ｓと第４レンズ群鏡枠４ｋの回転係止のための摺動部４ｍをガイド軸１５上で摺動させ、第４レンズ群鏡枠４ｋの摺動部４ｓと第２レンズ群鏡枠２ｋの回転係止のための摺動部２ｍをガイド軸１６上で摺動させるように構成してもよい。
【００６２】
図８は、第２レンズ群鏡枠２ｋ及び第４レンズ群鏡枠４ｋの案内機構のその他の例を示す図である。同図（ａ）は、第２レンズ群鏡枠２ｋ及び第４レンズ群鏡枠４ｋを示す側面図、同図（ｂ）は同図（ａ）に示す第４レンズ群鏡枠４ｋをＨ−Ｈ線で切断した断面図、同図（ｃ）は同図（ａ）に示す第２レンズ群鏡枠２ｋをＮ−Ｎ線で切断した断面図、同図（ｄ）は第２レンズ群鏡枠２ｋの摺動部２ｓを同図（ａ）に示すＩ方向からみた部分側面図である。
【００６３】
同図（ａ）、（ｂ）に示すように、第４レンズ群鏡枠４ｋのガイド軸１６に対する摺動部４ｓは、所定距離だけ離間した両端にガイド軸１６が貫通する嵌合穴部４ｃが形成されている。また、同図（ａ）、（ｃ）に示すように、第２レンズ群鏡枠２ｋのガイド軸１５に対する摺動部２ｓは、所定距離だけ離間した両端にガイド軸１５が貫通する嵌合穴部２ｃが形成されている。
【００６４】
第２レンズ群鏡枠２ｋのガイド軸１５に対する摺動部２ｓには図示の如く部分的に穴部２ｄが、形成されている。同図（ａ）、（ｄ）に示すように、この穴部２ｄには第４レンズ群鏡枠４ｋの回転係止部である摺動部４ｍが挿入され、ガイド軸１５に係合されている。同様に、第４レンズ群鏡枠４ｋのガイド軸１６に対する摺動部４ｓには部分的に穴部２４が、形成され、この穴部４ｄには第２レンズ群鏡枠２ｋの回転係止部である摺動部２ｍが挿入され、ガイド軸１６に係合されている。
【００６５】
このように構成することにより、第２レンズ群鏡枠２ｋの摺動部２ｓに形成される２つの嵌合穴部２ｃを充分に離間させて配置することが可能となる。同様に、第４レンズ群鏡枠４ｋの摺動部４ｓに形成される２つの嵌合穴部４ｃも充分に離間させて配置することが可能となる。
【００６６】
即ち、第２、第４レンズ群鏡枠２ｋ、４ｋの摺動部に、所定距離だけ離間した両端にガイド軸が貫通する嵌合穴部を形成し、離間した嵌合穴部の間に部分的な穴部を形成して、この穴部を用いて他方の鏡枠の回転係止のための摺動部を配置することにより、摺動部２ｓ、４ｓの嵌合穴部間の距離を充分に確保できる。これにより第２、第４レンズ群鏡枠２ｋ、４ｋをより滑らかに移動させることができ、ズーミング時の像ブレを抑制できるレンズ案内機構を得ることが可能となる。
【００６７】
図９は、第２レンズ群鏡枠２ｋ及び第４レンズ群鏡枠４ｋの案内機構のその他の例を示す図である。同図（ａ）は第２レンズ群鏡枠２ｋと第４レンズ群鏡枠４ｋが近接した状態を示す側面図、同図（ｂ）は第２レンズ群鏡枠２ｋ、第４レンズ群鏡枠４ｋの摺動部の形状を示す斜視図である。
【００６８】
同図に示すように、第２レンズ群鏡枠２ｋのガイド軸１５に対する摺動部２ｓは、ガイド軸１５が嵌合貫通するスリーブ部が形成されており、第４レンズ群鏡枠４ｋ側には、このスリーブ部に複数（図示では３個）の突起部２ｅが形成されている。同様に、第４レンズ群鏡枠４ｋのガイド軸１５に対する摺動部４ｓは、ガイド軸１５にも嵌合貫通するスリーブ部が形成されており、第２レンズ群鏡枠２ｋ側に、このスリーブ部に複数（図示では３個）の突起部４ｅが形成されている。なお、この突起部２ｅ、４ｅは、円柱状のガイド軸１５に対しそれぞれ少なくとも３個以上あればよい。
【００６９】
この双方の突起部２ｅ、４ｅは、内面はスリーブ部の内面が延長された形状であり、スリーブ部と同様に嵌合しており摺動部を形成している。更に、突起部４ｅは、第２レンズ群鏡枠２ｋの突起部２ｅの形成されていない領域に入り込むように形成されている。これにより、第２レンズ群鏡枠２ｋと第４レンズ群鏡枠４ｋが近接した際には、同図（ａ）に示すように、突起部２ｅ、４ｅが交互に入り込んだ状態となる。
【００７０】
即ち、摺動部をガイド軸が貫通するスリーブ部とスリーブ部からガイド軸方向に延伸された複数の突起部で形成し、更に、一方の鏡枠の突起部の形成されていない領域に他方の鏡枠の突起部が入り込むよう形成することにより、ガイド軸１５を突起部２ｅ、４ｅが重複して使用することができ、摺動部のスパンを充分な長さに確保できる。これにより第２、第４レンズ群鏡枠２ｋ、４ｋをより滑らかに移動させることができ、ズーミング時の像ブレを抑制できるレンズ案内機構を得ることが可能となる。
【００７１】
更に、突起部２ｅ、４ｅの内面は、ガイド軸に嵌合するよう形成されていればよいが、少なくとも１つは、自由状態ではガイド軸側に倒れた形状に形成され、ガイド軸を押さえる状態に形成されていることがより好ましい。このように形成することで、嵌合のクリアランスで発生するガタを片寄せすることができ、第２、第４レンズ群鏡枠２ｋ、４ｋをより滑らかに移動させることができる。
【００７２】
なお、上記の実施の形態では、屈曲光学系を内包するレンズ鏡胴を例にして説明したがこれに限るものでなく、反射部材を有しない通常のレンズ鏡胴にも適用可能であるのはいうまでもない。
【図面の簡単な説明】
【００７３】
【図１】本実施の形態に係るレンズ鏡胴を備えた撮像装置の一例であるカメラの、主要構成ユニットの内部配置の例を示す図である。
【図２】本実施の形態に係るレンズ鏡胴に内包された変倍可能な折り曲げ撮像光学系を示す断面図である。
【図３】図２に示す折り曲げ撮像光学系のズーミング時の各レンズ群の移動線図である。
【図４】第２レンズ群及び第４レンズ群の案内機構及び内部の概略構造を示す模式図である。
【図５】図４に示した第２レンズ群鏡枠及び第４レンズ群鏡枠の案内機構をより詳しくした模式図である。
【図６】断面がＶ溝状に形成された摺動部をガイド軸に当接する方向に付勢する他の例を示す図である。
【図７】第２レンズ群鏡枠及び第４レンズ群鏡枠の案内機構のその他の例を示す図である。
【図８】第２レンズ群鏡枠及び第４レンズ群鏡枠の案内機構のその他の例を示す図である。
【図９】第２レンズ群鏡枠及び第４レンズ群鏡枠の案内機構のその他の例を示す図である。
【符号の説明】
【００７４】
１  第１レンズ群
２  第２レンズ群
２ｋ  第２レンズ群鏡枠
３  第３レンズ群
３ｋ  第３レンズ群鏡枠
４  第４レンズ群
４ｋ  第４レンズ群鏡枠
５  光学フィルタ
６  撮像素子
１５、１６  ガイド軸
２０  第１モータ
２１  第２モータ
３１、３２、３３、３４、３５、３６  磁石
５０  レンズ鏡胴
５１  開口部
５２  フラッシュ発光部
５３  フラッシュユニット
５４  画像記録用メモリ（メモリカード）
５５  電池
５６  レリーズ釦
５７  メインスイッチ釦
６１  ＥＥＰＲＯＭ
１００  カメラ
【図１】
2008096566.tif 000003
【図２】
2008096566.tif 000004
【図３】
2008096566.tif 000005
【図４】
2008096566.tif 000006
【図５】
2008096566.tif 000007
【図６】
2008096566.tif 000008
【図７】
2008096566.tif 000009
【図８】
2008096566.tif 000010
【図９】
2008096566.tif 000011